(57)【要約】【課題】ポールがアンロック位置にある状態で、ポールの姿勢が安定し、ポールをロック位置に移動させた場合、ポールの外歯と第１部材の内歯との噛合具合が安定するリクライニング装置を提供することを課題とする。【解決手段】  カム３１と第２ポール４２との間に設けられ、前記カム３１に押されて、前記第２ポール４２を押す少なくとも１つの第２カム４４を有し、前記第２ポール４２をポールガイド突部３７に押しつけるばね５１を設ける。【選択図】図２
2019146735.tif 000002
【特許請求の範囲】
【請求項１】
内筒面に円周方向に沿って内歯が形成され、一方の面が開放面となった有底円筒状の第１部材と、
前記内歯と噛合可能な外歯を有した複数のポールと、
前記第１部材の開放面側に積層され、前記第１部材と前記円周方向に相対回転可能に設けられ、前記外歯が前記内歯に噛合するロック位置，前記外歯が前記内歯から離れたアンロック位置の間で前記ポールを案内する複数のポールガイドが形成された第２部材と、
前記第１部材と前記第２部材との間で、回転可能に設けられ、ロック位置方向に前記ポールを移動させるカムと、
前記カムと前記ポールとの間に設けられ、前記カムに押されて、前記ポールを押す少なくとも１つの第２カムと、
を有し、
前記ポールは２つの前記ポールガイドの間で案内され、
前記ポールがロック位置にある場合には、
前記第１部材と第２部材との相対回転が禁止されると共に、前記第２カムは、前記ポールをロック位置方向に押すと共に、前記ポールを一方のポールガイドに密着させるリクライニング装置であって、
前記ポールを前記一方のポールガイド方向に押しつけるばねを設ける
ことを特徴とするリクライニング装置。
【請求項２】
前記複数のポールのうち少なくとも２つのポールは対角配置され、
前記第２カムは少なくとも２つあり、前記カムと対角配置された前記ポールとの間にそれぞれ前記第２カムが配置されている
ことを特徴とする請求項１記載のリクライニング装置。
【請求項３】
前記ばねの一端で前記ポールを前記一方のポールガイド方向に押し、
前記ばねの他端は前記カムに取り付けられ、前記カムを前記ロック位置方向に付勢していることを特徴とする請求項１または２に記載のリクライニング装置。
【請求項４】
前記ばねの一端は、前記ポールに直接当接している
ことを特徴とする請求項３記載のリクライニング装置。
【請求項５】
他方のポールガイドには、前記ばねの一端が挿入される溝が形成され、
ロック位置において、
前記ばねによる前記ポールの前記一方のポールガイド方向への押しつけ方向と反対方向に、前記ばねの一端と前記溝との間に隙間を有することを特徴とする請求項３または４記載のリクライニング装置。 
【発明の詳細な説明】
【技術分野】
【０００１】
本発明は、内筒面に円周方向に沿って内歯が形成され、一方の面が開放面となった有底円筒状の第１部材と、前記内歯と噛合可能な外歯を有した複数のポールと、前記第１部材の開放面側に積層され、前記第１部材と前記円周方向に相対回転可能に設けられ、前記外歯が前記内歯に噛合するロック位置，前記外歯が前記内歯から離れたアンロック位置の間で前記ポールを案内する複数のポールガイドが形成された第２部材と、記第１部材と前記第２部材との間で、回転可能に設けられ、ロック位置方向に前記ポールを移動させるカムと、前記カムと前記ポールとの間に設けられ、前記カムに押されて、前記ポールを押す少なくとも１つの第２カムと、を有し、前記ポールは２つの前記ポールガイドの間で案内され、前記ポールがロック位置にある場合には、前記第１部材と第２部材との相対回転が禁止されると共に、前記第２カムは、前記ポールをロック位置方向に押すと共に、前記ポールを一方のポールガイドに密着させるリクライニング装置に関する。
【背景技術】
【０００２】
リクライニング装置の一例として、内筒面に円周方向に沿って内歯が形成され、一方の面が開放面となった有底円筒状の第１部材と、前記内歯と噛合可能な外歯を有した複数のポールと、前記第１部材の開放面側に積層され、前記第１部材と前記円周方向に相対回転可能に設けられ、前記外歯が前記内歯に噛合するロック位置，前記外歯が前記内歯から離れたアンロック位置の間で前記ポールを案内する複数のポールガイドが形成された第２部材と、記第１部材と前記第２部材との間で、回転可能に設けられ、ロック位置方向に前記ポールを移動させるカムと、前記カムと前記ポールとの間に設けられ、前記カムに押されて、前記ポールを押す少なくとも１つの第２カムと、を有し、前記ポールは２つの前記ポールガイドの間で案内され、前記ポールがロック位置にある場合には、前記第１部材と第２部材との相対回転が禁止されると共に、前記第２カムは、前記ポールをロック位置方向に押すと共に、前記ポールを一方のポールガイドに密着させるものがある（例えば、特許文献１参照）。
【先行技術文献】
【特許文献】
【０００３】
【特許文献１】特開２０１４−２３９７２１号公報
【発明の概要】
【発明が解決しようとする課題】
【０００４】
しかし、特許文献１に記載された構造では、ポールの外歯が第１部材の内歯に噛合していない状態、即ち、ポールがアンロック位置にある状態では、ポールは、ポールガイドにのみに支持されている。円滑なポールの移動、ポール、ポールガイドの部品精度等の理由により、ポールとポールガイドとの間には、隙間がある。
【０００５】
よって、ポールがアンロック位置にある状態では、ポールの姿勢が安定しない。特に、第２カムで押されるポールは、ガイドとの対向する面が短くなり、特に安定しない。そして、カム，第２カムによりポールをロック位置に移動させた場合、ポールの外歯と第１部材の内歯との噛合具合が安定しない問題点がある。
【０００６】
本発明は、上記問題点に鑑みてなされたもので、その課題は、ポールの外歯と第１部材の内歯との噛合具合が安定するリクライニング装置を提供することにある。
【課題を解決するための手段】
【０００７】
上述した課題のうち少なくとも一つを実現するために、本発明の一側面を反映したリクライニング装置は、
内筒面に円周方向に沿って内歯が形成され、一方の面が開放面となった有底円筒状の第１部材と、
前記内歯と噛合可能な外歯を有した複数のポールと、
前記第１部材の開放面側に積層され、前記第１部材と前記円周方向に相対回転可能に設けられ、前記外歯が前記内歯に噛合するロック位置，前記外歯が前記内歯から離れたアンロック位置の間で前記ポールを案内する複数のポールガイドが形成された第２部材と、
前記第１部材と前記第２部材との間で、回転可能に設けられ、ロック位置方向に前記ポールを移動させるカムと、
前記カムと前記ポールとの間に設けられ、前記カムに押されて、前記ポールを押す少なくとも１つの第２カムと、
を有し、
前記ポールは２つの前記ポールガイドの間で案内され、
前記ポールがロック位置にある場合には、
前記第１部材と第２部材との相対回転が禁止されると共に、前記第２カムは、前記ポールをロック位置方向に押すと共に、前記ポールを一方のポールガイドに密着させるリクライニング装置であって、
前記ポールを前記一方のポールガイド方向に押しつけるばねを設ける
ことを特徴とする。
【０００８】
本発明の他の特徴は、以下に述べる発明を実施するための形態並びに添付の図面から一層明らかになるであろう。
【発明の効果】
【０００９】
本発明のリクライニング装置によれば、
前記ポールを前記一方のポールガイド方向に押しつけるばねを設ける
ことにより、
ポールがアンロック位置にある状態で、ポールの姿勢が安定し、ポールをロック位置に移動させた場合、ポールの外歯と第１部材の内歯との噛合具合が安定する。
【００１０】
本発明の他の効果は、以下に述べる発明を実施するための形態並びに添付の図面から一層明らかになるであろう。
【図面の簡単な説明】
【００１１】
【図１】本実施形態のリクライニング装置の分解斜視図である。
【図２】図１の分解斜視図を逆方向から見た分解斜視図である
【図３】組み付けられた図１のリクライニング装置（ロック状態）の切断線III−IIIにおける断面図である。
【図４】組み付けられた図１のリクライニング装置（アンロック状態）の切断線IV−IVでの断面図である。
【図５】組み付けられた図１のリクライニング装置（ロック状態）の切断線V−Vでの断面図である。
【図６】図５のリクライニング装置のアンロック状態を示す図である。
【図７】組み付けられた図１のリクライニング装置を矢印VII方向から見た正面図である。
【図８】図７の切断線VIII−VIIIでの切断部端面図である。
【図９】図７の切断線IX−IXでの切断部端面図である。
【図１０】図７の切断線X−Xでの切断部端面図である。
【図１１】図７の切断線XI−XIでの切断部端面図である。
【図１２】本実施形態のリクライニング装置が設けられたシートの構成図である。
【発明を実施するための形態】
【００１２】
図面を用いて実施形態を説明する。
最初に、図１２を用いて、本実施形態のリクライニング装置が設けられたシートの説明を行う。シート１は、着座者の臀部を支持するシートクッション２と、シートクッション２に対して前後方向に傾動可能に設けられ、着座者の背部を支持するシートバック３とからなっている。４はシートバック３の傾動の回転軸（Ｏ）上に設けられ、シートバック３の傾動を許可／禁止するリクライニング装置である。
【００１３】
また、このリクライニング装置４は、前倒れ状態から後ろ倒れ状態で傾動可能である。そして、初段ロック状態から後ろ倒れ状態までの間及び前倒れ状態では、シートバック３の傾動を許可／禁止可能となっているが、初段ロック状態から前倒れ状態までの間では、ロック解除保持機構により、ロック解除保持状態となり、操作レバーを操作しなくても、シートクッションの傾動が可能となっている。
【００１４】
本実施形態のリクライニング装置は、シートの左右に設けられ、構造は同じであるので、以下、一方の側のリクライニング装置４を説明する。
図１−図１１を用いて、リクライニング装置４の説明を行う。図１は本実施形態のリクライニング装置の分解斜視図、図２は図１の分解斜視図を逆方向から見た分解斜視図、図３は組み付けられた図１のリクライニング装置（ロック状態）の切断線III−IIIにおける断面図、図４は組み付けられた図１のリクライニング装置（アンロック状態）の切断線IV−IVでの断面図、図５は組み付けられた図１のリクライニング装置（ロック状態）の切断線V−Vでの断面図、図６は図５のリクライニング装置のアンロック状態を示す図、図７は組み付けられた図１のリクライニング装置を矢印VII方向から見た正面図、図８は図７の切断線VIII−VIIIでの切断部端面図、図９は図７の切断線IX−IXでの切断部端面図、図１０は図７の切断線X−Xでの切断部端面図、図１１は図７の切断線XI−XIでの切断部端面図である。
【００１５】
シートバック３側に設けられるラチェット（第１部材）２１は、円板状の板材をプレスにより半抜加工した有底円筒状で、円形凹部２１ａが形成されている。この円形凹部２１ａの内周面には、内歯２３が円周方向全域に形成されている。また、円形凹部２１ａの中心には、シートバック３の傾動の回転軸（図１、図２において軸Ｏ）に沿って配置されるシャフト（図示せず）が遊挿される貫通した穴２１ｂが形成されている。尚、本実施形態の図示しないシャフトの断面形状は、円形でない形状（本実施形態では断面形状が小判形）とした。
【００１６】
シートクッション２側に設けられるベースプレート（第２部材）２５も、ラチェット２１と同様に円板状の板材をプレスにより半抜加工して形成され、円形凹部２５ａが形成されている。この円形凹部２５ａの径は、ラチェット２１の外径より若干大きく設定されている。そして、円形凹部２５ａに、ラチェット２１が嵌め込まれ、ベースプレート２５とラチェット２１とは相対回転可能となっている。また、ベースプレート２５の中心には、図示しないシャフトが遊挿される貫通した穴２５ｂが形成されている。
【００１７】
ラチェット２１の外周部と、ベースプレート２５の外周部とは、リング状の外周リング２７により挟持され、ラチェット２１とベースプレート２５とは、相対回転の軸Ｏ方向に分離されることなく、相対回転可能に保持されている。
ラチェット２１の円形凹部２１ａとベースプレート２５の円形凹部２５ａとが形成する空間には、カム３１が配置される。カム３１の中心には、図示しないシャフトが嵌合する穴（本実施形態では小判形）３１ａが形成されている。そして、図示しないシャフトとカム３１とは一体となって回転する。このため、この図示しないシャフトは、シートの両側部に設けられたリクライニング装置のうちの一方のリクライニング装置のカム３１の動きを他方のリクライニング装置のカムへ伝達する伝達部材となっている。又、カム３１には、ラチェット２１方向に突出する２つの突部３１ｃが形成されている。更に、カム３１の外周部には、周方向に沿って４つの第１突部３１ｄと、４つの第２突部３１ｅとが交互に形成されている。更に、カム３１には、後述する２つの線細工ばね５１が係合する２つの穴３１ｆが形成されている。
【００１８】
カム３１とラチェット２１の円形凹部２１ａとの間には、レリーズプレート３３が配置される。このレリーズプレート３３には、カム３１の２つの突部３１ｃが係合する穴３３ａが形成されている。この突部３１ｃと穴３３ａの係合により、カム３１とレリーズプレート３３とは一体となって回転する。又、レリーズプレート３３の中心部には、穴３３ｅが形成されている。
【００１９】
レリーズプレート３３とベースプレート２５の円形凹部２５ａとの間には、軸Ｏを中心とする円周方向に沿って、４つのポール、即ち、２つの第１ポール４１と２つの第２ポール４２とが交互に配置されている。尚、本実施形態では、第１ポール４１、第２ポール４２は、軸Ｏを中心とする円周方向において略９０°ピッチで配置されている。即ち、第２ポール４２は、対角配置されている。
【００２０】
第１ポール４１、第２ポール４２の内歯２３と対向する面には、内歯２３に噛合可能な外歯４１ａ、外歯４２ａが形成されている。
さらに、第２ポール４２とカム３１との間には、第２カム４４が配置されている。即ち、２つの（一組の）第２カム４４は対角配置されている。
【００２１】
第１ポール４１の外歯４１ａが設けられた面と反対側の面には、カム３１の第１突部３１ｄが当接可能な第１被当接部４１ｂと、カム３１の第２突部３１ｅが当接可能な第２被当接部４１ｃとが形成されている。
また、第２ポール４２の外歯４２ａが設けられた面と反対側の面には、第２カム４４が当接可能な第１被当接部４２ｂと、カム３１の第２突部３１ｅが当接可能な第２被当接部４２ｃとが形成されている。
【００２２】
第２カム４４には、カム３１の第１突部３１ｄが当接可能な第１被当接部４４ｄと、後述するポールガイド突部（ポールガイド）３７に当接可能なガイド当接部４４ａと、第２ポール４２の第１被当接部４２ｂに当接可能な第１当接部４４ｂとが形成されている。
ベースプレート２５の円形凹部２５ａには、相対回転の軸Ｏを中心とする円の周方向に沿って、９０°ピッチで４つのポールガイド突部３７が形成されている。
【００２３】
隣接する２つのポールガイド突部３７により、第１ポール４１、第２ポール４２は相対回転の軸Ｏを中心とする円の径方向にのみ移動可能となっている。即ち、ポールガイド突部３７は、外歯４１ａ、外歯４２ａがラチェット２１の内歯２３と噛合するロック位置，外歯４１ａ、外歯４２ａがラチェット２１の内歯２３から離れたアンロック位置の間で、第１ポール４１、第２ポール４２を案内する。
【００２４】
第１ポール４１、第２ポール４２のレリーズプレート３３と対向する面には、レリーズプレート３３方向に突出する突部４１ｄ、突部４２ｄが形成されている。レリーズプレート３３には、第１ポール４１の突部４１ｄ、第２ポール４２の突部４２ｄが係合するカム穴３３ｂが形成されている。このカム穴３３ｂには、第１ポール４１の突部４１ｄ、第２ポール４２の突部４２ｄが当接する傾斜面が形成され、ロック状態でレリーズプレート３３が図１、図２、図４において矢印Ｔ方向と逆方向に回転すると、ポールガイド突部３７に沿って、第１ポール４１の外歯４１ａ、第２ポール４２の外歯４２ａがラチェット２１の内歯２３より離れる方向（アンロック位置方向）に第１ポール４１、第２ポール４２を移動させる形状に設定されている。
【００２５】
レリーズプレート３３とラチェット２１の円形凹部２１ａとの間には、略Ｃ状に湾曲された２つの線細工ばね５１が配置される。
第１ポール４１、第２ポール４２の側部を挟むように設けられた隣接する２つのポールガイド突部（ポールガイド）３７には、それぞれ、第１ポール４１、第２ポール４２の一方の側部と対向する第１ポールガイド３７ａと、第１ポール４１、第２ポール４２の他方の側部と対向する第２ポールガイド３７ｂとが形成されている。
【００２６】
第２ポール４２の一方の側部と対向する第１ポールガイド３７ａには、第２ポール４２の一方の側部との間に空間を形成する凹部３７ｆが形成されている。尚、本実施形態では、
第２ポール４２の他方の側部と対向する第２ポールガイド３７ｂにも、第２ポール４２の他方の側部との間に空間を形成する凹部３７ｆ’が形成されている。
【００２７】
２つの線細工ばね５１の一方の端部側には、ベースプレート２５側に折曲された第１端部５１ａが形成され、他方の端部側には、ベースプレート２５側に折曲された第２端部５１ｂが形成されている。
そして、線細工ばね５１は、弾性変形した状態で、その第１端部５１ａは、レリーズプレート３３の穴３３ｅを通り、カム３１に形成された穴３１ｆに係合し、第２端部５１ｂは、第１ポールガイド３７ａの凹部３７ｆに挿入されている。
【００２８】
線細工ばね５１の弾性反発力により、線細工ばね５１の第１端部５１ａは、カム３１の穴３１ｆの内壁面を力Ｆで押圧し、カム３１は、第１突部３１ｄ、第２突部３１ｅが、それぞれ第１ポール４１の第１被当接部４１ｂ、第２被当接部４１ｃ、第２ポール４２の第２被当接部４２ｃ、第２カム４４の第１被当接部４４ｄに対向する方向（一方の方向）に付勢されている。
【００２９】
第１ポールガイド３７ａの凹部３７ｆに挿入された第２端部５１ｂは、第２ポール４２の一方の側部を押圧し、第２ポール４２を第２ポール４２の他方の側部と対向する第２ポールガイド（一方のポールガイド）３７ｂの方向に押しつけている。尚、本実施形態においては、線細工ばね５１はロック状態←→アンロック状態へのそれぞれの移動中も常に第２ポール４２を第２ポール４２の他方の側部と対向する第２ポールガイド３７ｂに押しつけている。
【００３０】
また、本実施形態では、線細工ばね５１の第２端部５１ｂと、ポールガイド突部３７の凹部３７ｆとの嵌合（挿入）は、線細工ばね５１の第２端部５１ｂが第２ポール４２の一方の側部を押圧付勢している。線細工ばね５１の第２端部５１ｂの押圧面と反対側の面側には空間（隙間）が存在し、線細工ばね５１の第２端部５１ｂに付勢力と異なる方向に付勢力以上の力が作用すると、第２端部５１ｂは第２ポール４２の一方の側部から離脱（離間）する方向に移動可能となっている。
【００３１】
そして、第１ポール４１、第２ポール４２がロック位置にある場合、図５に示すようにカム３１より力Ｆを受ける第２カム４４は、力Ｆの分力Ｆ’で第２ポール４２をロック位置方向に押すと共に、第２ポール４２をポールガイド突部３７の第２ポールガイド３７ｂに押しつける。また、力Ｆの分力Ｆ”で，第２カムは、ポールガイド突部３７の第１ポールガイド３７ａを押す。
【００３２】
ここで、上記構成のリクライニング装置の作動を説明する。
通常、図３、図５に示すように、線細工ばね５１の弾性反発力により、カム３１を介して、ベースプレート２５に設けられた第１ポール４１、第２ポール４２は、外歯４１ａ、外歯４２ａが、ラチェット２１の内歯２３に噛合したロック位置にあり、ラチェット（第１部材）２１とベースプレート（第２部材）２５との相対回転は禁止され、シートバックはシートクッションに対して回転ができない状態（ロック状態）にある。
【００３３】
線細工ばね５１の付勢力に抗して、カム３１を操作して、他方の方向（矢印Ｔと逆の方向）に回転させると、カム３１の突部３１ｃとレリーズプレート３３の穴３３ａの係合関係から、レリーズプレート３３も共に回転する。この時、カム３１の第１突部３１ｄによる第１ポール４１の第１被当接部４１ｂおよび第２カム４４の第１被当接部４４ｄへの押圧が解除される。
【００３４】
更に、レリーズプレート３３が回転すると、ポール４１の突部４１ｄが係合するレリーズプレート３３のカム穴３３ｂの傾斜面により、第１ポール４１、第２ポール４２（および第２カム４４）は、外歯４１ａ、外歯４２ａとラチェット２１の内歯２３との噛合が解除されたアンロック位置に移動し、図４、図６に示すようにラチェット（第１部材）２１とベースプレート（第２部材）２５との相対回転が可能となり、シートバックはシートクッションに対して回転可能（アンロック状態）となる。この時、線細工ばね５１の第２端部５１ｂにより第２ポール４２は第２ポールガイド３７ｂに押しつけられている。
【００３５】
カム３１への操作力を解除すると、線細工ばね５１の付勢力により、カム３１、レリーズプレート３３は元位置に復帰しつつ、カム３１の第１突部３１ｄが第１ポール４１の第１被当接部４１ｂ及び第２カム４４の第１被当接部４４ｄを押圧し、第１ポール４１、第２ポール４２の外歯４１ａ、外歯４２ａがラチェット２１の内歯２３に噛合し、ラチェット（第１部材）２１とベースプレート（第２部材）２５との相対回転は禁止され、再びロック状態となる。また、この間も線細工ばね５１の第２端部５１ｂにより、第２ポール４２は第２ポールガイド３７ｂに押しつけられたままである。
【００３６】
本実施形態によれば、以下のような効果が得られる。
(1) 線細工ばね５１はロック状態←→アンロック状態へのそれぞれの移動中も常に第２ポール４２を第２ポール４２の他方の側部と対向する第２ポールガイド３７ｂに押しつけている。よって、第２ポール４２がアンロック位置にある状態でも、第２ポール４２の姿勢が安定し、そのまま第２ポール４２をロック位置に移動できるため、第２ポール４２の外歯４２ａとラチェット２１の内歯２３との噛合具合が安定する。
【００３７】
また、第２カム４４を有することで、第２ポール４２をロック位置に移動させた場合、第２ポール４２の外歯４２ａとラチェット２１の内歯２３との噛合時のガタつきが発生しない。特に、本実施形態では、第２カム４４によって、第２ポール４２はポールガイド突部３７の第２ポールガイド３７ｂに押しつけられると共に、線細工ばね５１の第２端部５１ｂによっても、第２ポール４２はポールガイド突部３７の第２ポールガイド３７ｂに押しつけられる。よって、線細工ばね５１と第２カム４４による押しつけ方向の違いによって発生する力のロスが少なく、第２ポール４２の外歯４２ａとラチェット２１の内歯２３との噛合時のガタつき防止が安定する。
(2) 対角配置される第２カム４４が一組あることで、ロック時におけるベースプレート（第２部材）２５の相対回転方向のガタをより効果的に防止できる。
(3) 線細工ばね５１の一端で第２ポール４２を第２ポールガイド３７ｂ方向に押し、線細工ばね５１の他端はカム３１に取り付けられ、カム３１を付勢していることにより、部品点数が減る。
(4)線細工ばね５１の第２端部５１ｂが第２ポール４２の一方の側部と直接当接しているため、部品点数が減る。また、別部材を介すことで付勢力がロスすることがない。
(5) 線細工ばね５１の第２端部５１ｂと、第１ポールガイド３７ａの凹部３７ｆとの嵌合（挿入）は、線細工ばね５１の第２端部５１ｂが第２ポール４２の一方の側部を押圧付勢している。線細工ばね５１の第２端部５１ｂの押圧面と反対側の面側には空間（隙間）が存在し、線細工ばね５１の第２端部５１ｂに付勢力と異なる方向に付勢力以上の力が作用すると、第２端部５１ｂは第２ポール４２の一方の側部から離脱する方向に移動可能となっている。よって、第２ポール４２から線細工ばね５１の一端方向への荷重が加わっても、線細工ばね５１の一端には影響しない。
【００３８】
本発明は、上記実施形態に限定するものではない。
例えば、上記実施形態は、４つのポールで説明を行ったが、３つのポールでも可能である。この場合、３つのポールのうち、２つは第２ポールで、第２ポール、第２カムは対角に設けることが好ましい。
【００３９】
また、ポールが５つ以上ある場合でも可能である。この場合、第２カムは少なくとも２つあり、第２カムのうちの一組の第２カムは対角配置されることが好ましい。
さらに、上記実施形態では、カム３１を付勢するばね（第１ばね）と、第２ポール４２を一方のポールガイド突部（ポールガイド）３７に押しつけるばね（第２ばね）を同一の線細工ばね５１としたが、それぞれ別のばねを設けても良い。
【００４０】
また、上記実施形態では、線細工ばね５１の第１端部５１ａは、カム３１に係合し、カム３１を付勢したが、カム３１と一体となって回転するレリーズプレート３３に係合させてもよい。
【符号の説明】
【００４１】
２１  ラチェット（第１部材）
２５  ベースプレート（第２部材）
３１  カム
３７  ポールガイド
４１  第１ポール
４２  第２ポール
５１  線細工ばね
【図１】
2019146735.tif 000003
【図２】
2019146735.tif 000004
【図３】
2019146735.tif 000005
【図４】
2019146735.tif 000006
【図５】
2019146735.tif 000007
【図６】
2019146735.tif 000008
【図７】
2019146735.tif 000009
【図８】
2019146735.tif 000010
【図９】
2019146735.tif 000011
【図１０】
2019146735.tif 000012
【図１１】
2019146735.tif 000013
【図１２】
2019146735.tif 000014